(57)【特許請求の範囲】
【請求項１】
実現すべき機能が少なくとも２つの異なる機能（３０４，３０８）から選択される，制御ユニット（１００）の接続端（１０６）で実現される機能を選択する機能選択方法であって，
前記実現すべき機能の選択は，予め設定可能なコード（Ｄｐ）により行われ，かつ，少なくとも第２の機能が抑圧され、
前記予め設定可能なコード（Ｄｐ）は，さらに，そのコードにより設定可能な期間（Ｔｗ）に関する情報を有しており，前記期間後に実現すべき１つの機能から，前記期間（Ｔｗ）内で抑圧されていた他の機能，特に少なくとも第２の機能に交代され，それまで実現すべきであった機能が抑圧される，ことを特徴とする機能選択方法。
【請求項２】
前記少なくとも２つの機能（３０４，３０８）は，前記制御ユニット（１００）の接続端（１０６）へ印加可能な，少なくとも２つの異なる信号（信号１，３０４，信号２，３０８）により実現可能であって，その場合に，実現すべき機能の信号は，コード（Ｄｐ）により選択され，接続端（１０６）に印加され，少なくとも第２の信号が抑圧される，ことを特徴とする請求項１に記載の方法。
【請求項３】
前記少なくとも２つの機能（３０４，３０８）の１つの機能は，信号（信号１，３０４）により実現可能であって，その場合に，前記信号は制御ユニット（１００）の接続端（１０６）に印加可能であって，その場合に，実現すべき機能の信号（信号１，３０４）は，コード（Ｄｐ）により選択され，接続端（１０６）に印加され，かつ少なくとも第２の機能（機能２，３０８）が抑圧される，ことを特徴とする請求項１に記載の方法。
【請求項４】
前記少なくとも２つの機能（３０４，３０８）の一方は，制御ユニット（１００）の接続端（１０６）を，他の制御ユニットの制御ユニット（１００）との双方向の通信接続（１１１）として使用することである，ことを特徴とする請求項１又は３に記載の方法。
【請求項５】
プロセッサ（１０１）と，前記プロセッサを介して第１の機能を実現するために使用される第１の機能路（１０１，１０７，１０８，１１４，１１２）と，前記プロセッサを介して他の機能を実現するために使用される少なくとも１つの他の機能路（１０１，１０９，１１０，１０２，１１１）とを有する，装置の接続端（１０６）で実現される機能を選択する機能選択装置において，
前記機能路には、少なくとも２つの異なる機能から、実現すべき機能が選択されるように構成された手段が含まれており、
前記実現すべき機能の選択は，予め設定可能なコード（Ｄｐ）により行われ，かつ，少なくとも第２の機能が抑圧され、
前記予め設定可能なコード（Ｄｐ）は，さらに，そのコードにより設定可能な期間（Ｔｗ）に関する情報を有しており，前記期間後に実現すべき１つの機能から，前記期間（Ｔｗ）内で抑圧されていた他の機能，特に少なくとも第２の機能に交代され，それまで実現すべきであった機能が抑圧されることを特徴とする機能選択装置。
【請求項６】
前記コード（Ｄｐ）に従って，実現すべき機能の機能路を選択し，クリアリングし，かつ少なくとも１つの他の機能路を抑圧する手段が設けられている，ことを特徴とする請求項５に記載の装置。
【請求項７】
第１の機能として，第１の機能路（１０１，１０７，１０８，１１４，１１２）を介して単方向で信号（信号１）が出力される，ことを特徴とする請求項５に記載の装置。
【請求項８】
少なくとも第２の機能として，第２の機能路（１０１，１０９，１１０，１０２，１１１）を介して計算ユニットとの双方向通信が実行される，ことを特徴とする請求項５に記載の装置。
【発明の詳細な説明】
【０００１】
技術の状態
本発明は，独立請求項の上位概念に記載の，制御ユニットの接続端において実現される少なくとも１つの機能選択方法及び装置に関する。
【０００２】
上記に関し，ＤＥ１９６２１９０２Ａ１は，各種信号による制御ユニットの通信線の多重占有を示している。かかる公開公報の対象は，情報を重畳するシステムに基づいている。このとき，第１の情報は，形成されたアナログ信号により示され，その場合に，第２の情報は形成されたデジタル信号の形式で存在する。発明の核心は，重畳信号を形成するために，デジタル信号がアナログ信号に重畳されることにある。このとき，信号は同時に伝達されるので，重畳に関して同期化が実行されなければならない。重畳信号の受信機においては，さらに処理するために，その信号は基礎となる信号（即ち，アナログとデジタルの情報信号）に再び分割されなければならない。このことにより，入力導線と，制御装置のこの導線の両側の接続端を省略することができる。当然ながら，重畳信号を形成し（特に同期化の際に），かつさらに処理するために制御装置内で重畳信号を分割するための手間が著しく上昇する。
【０００３】
ＤＥ３６２４１３９Ａ１内のマイクロプロセッサにより負荷を操作するための切換え装置は，マイクロプロセッサの接続端を節約するための他の方法を開示している。このとき，マイクロコンピュータ自体に配置された切換え可能な双方向の接続端は，一方では負荷を切換えるため，他方ではハンドスイッチによる外部の負荷切換えを認識するために使用される。従って，マイクロプロセッサに設けられる別々の入力と出力の代わりに唯一の双方向の入力を使用する公知の方法は，小さい負荷，即ち低出力を有する負荷の代わりに，高出力を有する比較的大きい負荷を操作して表示することができるように，改良される。このとき，手動スイッチを操作する際に，マイクロプロセッサの双方向の入力に印加される電位がアースへ引かれることにより，手動スイッチが操作されたことが認識される。これは，双方向の入力は，通常内部プルアップ抵抗により高オームになっているからである。このことにより，この特殊な場合について，マイクロプロセッサの接続端上で同一負荷に関してほぼ２つの機能を実現することができる。しかし，使用される接続端は，直接マイクロプロセッサに設けられるので，異なるマイクロプロセッサ出力及び種々の負荷に関する真の多重機能性は不可能である。
【０００４】
上記従来技術は，どの点においても最適な結果を供給できないことが，明らかにされている。従って，制御ユニットあるいは制御装置の接続端の真の多重機能性を得て，かつ前記方法と装置のさらなる改良を達成するという課題が，設定される。
【０００５】
この課題は，独立請求項の特徴により解決される。
【０００６】
本発明の利点
本発明は，制御ユニットの接続端において実現される機能を選択する方法と装置に基づいており，実現すべき機能は，少なくとも２つの異なる機能から選択される。このとき，実現すべき機能の選択は，予め設定可能なコード化により行われ，少なくとも第２の機能が抑圧される。
【０００７】
少なくとも２つの機能は，制御ユニットの接続端に印加可能な，少なくとも２つの異なる信号により実現可能であるのが好ましい。その場合に，実現すべき機能の信号は，コード化により選択され，接続端に印加可能である。さらに，少なくとも第２の信号が抑圧される。好ましくは適用可能なデータセットにおいて，コード化を選択することにより，どの信号が，いつ，制御ユニットの接続端を介して案内されるかを設定することができる。
【０００８】
このことにより，もはや例えばアプリケーションの際に，マイクロプロセッサ信号に基づいて可能な機能間で交代するために，ハードウェア適合，特にハードウェアブリッジの装着を実行する必要がなくなる。
【０００９】
コード化ごとの機能選択あるいは信号選択により，制御装置及びケーブルハーネスにおける接続端をよりフレキシブルに省略することが可能になる。アプリケーション又は診断の場合に，その場合にもそれに応じた導線と接続端を省略することができる。相互に無関係とすることが可能な異なる機能から選択することができるので，複数の接続端の組合せが考えられる。
【００１０】
コード化により機能が同時に実現されず，あるいは信号が同時に伝達されないことにより，多重占有により機能的な制限が発生しないように，切り換えを効果的に行うことができる。
【００１１】
選択が実行される少なくとも２つの機能の一方は，制御ユニットの接続端を，他のインテリジェントユニット，特に他の制御ユニットとの双方向の通信接続として使用するのが好ましい。
【００１２】
各々の予め設定されたコード化の検出により，各々必要な機能性の自動的な検出が可能であるのが好ましい。
【００１３】
さらに，予め設定可能なコード化内に，そのコード化により同様に設定可能な，期間に関する情報を含むことができるのが好ましい。その場合に，かかる期間あるいはかかる時間長さは例えば待機時間として解釈され，この待機時間後に実現すべき１つの機能から，かかる期間中抑圧されていた他の機能へ，例えば第１の機能が正しく実施されない場合に，切り換えられるのが好ましい。それまで実現すべきであった機能自体は，その後抑圧される。このことにより，簡単な診断が可能になり，それによればアプリケーション内でもエラー機能が発生した場合に，診断機能あるいはテスト機能に切り換えることができる。同様に，システムが例えば通信モードにおいて，通信が遮断した場合に，発生するエンドレスループ内にとらわれることが防止される。これは，待機時間の経過後には，第２の機能に切り換えられるからである。
【００１４】
同様に，好ましくは，待機時間の設定により，メッセージエコーあるいは信号エコーをフィルタリングアウトすることができる。即ち，応答信号あるいは停止信号の検出までの待機時間が少なくとも好ましくないエコーは考慮されず，初めて真の応答が認識されて，場合によっては，他の反応がもたらされるように選択されている場合に，可能である。
【００１５】
他の好ましい実施形態は，詳細な説明と請求項から明らかにされる。
【００１６】
実施例の説明
図１は，制御装置接続端１０６において２つの機能を実現し，あるいは２つの信号路から選択するための，制御装置１００内の原理的な回路装置を示している。マイクロコントローラ１０１は，２本の導線１０７と１０８を介して素子１０３と接続されている。同様にマイクロコントローラ１０１は，導線１０９と１１０を介して他の素子１０２と接続されている。素子１０３は，導線１１３を介して他の素子１０４と接続されている。素子１０３，１０４及び導線接続１１３は，素子１１４内にまとめることができる。ここで図示される素子１１４，１０２は，導線１１１と１１２を介して同一の制御装置接続端１０６へ通じている。素子１０２と１１４により，制御装置接続端１０６上で各々異なる機能が実現される。具体的な実施形態においては，マイクロコントローラ１０１の出力信号，例えば回転数信号，従って例えば車両内の速度測定器のために使用できる出力信号が素子１０３に伝達される。このとき，素子１０３は，論理デバイス，例えばゲートモジュール，特にナンドゲートであって，それは導線１０８上の出力信号の情報を導線１０７上の信号に従って導線１１３上に出力する。従って，導線１０７上の信号は，導線１０８あるいはその信号のためのある種のイネーブル信号として機能する。
【００１７】
導線１１３上の信号は，その後素子１０４へ達する。この特殊な実施形態においては，素子１０４は，出力段モジュールである。信号出力するためのこの出力段モジュールは，例えば各々の技術に従って非反転オープン−ドレイン又はオープン−コレクタ出力段として形成されている。この出力段モジュール１０４により，その後，導線１０８の出力信号の情報内容が導線１１２を介して制御装置接続端１０６へ出力可能であり，アクチュエータ，例えば上記速度測定器における信号評価あるいは信号表示により，第１の機能を表す。従って，第１の機能路は，マイクロコントローラ１０１，導線１０７と１０８，素子１１４及び接続端１０６へ至る導線１１２から形成される。
【００１８】
導線１０９と１１０は，マイクロコントローラ１０１の出力情報と入力情報あるいは出力信号と入力信号のための導線である。シリアルのデータインターフェイス１０２により，単方向導線１０９と１１０の信号がその後双方向の導線１１１に伝達される。このことにより，導線１１１は，制御装置接続端１０６経由のマイクロコントローラ１０１との通信線として使用することができ，第２の機能を示す。従って，第２の機能路は，マイクロコントローラ１０１，導線１０９と１１０，素子１０２及び接続端１０６への導線１１１から形成される。
【００１９】
シリアルのデータインターフェイス１０２は，例えば非反転に形成されている。接続端１０２のために機能を実現する２つの素子１１４と１０２を，図１に示すように供給電圧あるいは供給電圧電位Ｕｂａｔに接続された負荷１０５，例えば抵抗，を介して共通に制御装置接続端１０６に導くために，シリアルインターフェイス１０２は同様に，双方向側に出力段モジュールを有している。この出力段モジュールも，出力段モジュール１０４と同様に，各々の技術に従ってオープン−コレクタ又はオープン−ドレイン−出力段モジュールとして形成されており，それが図示の結合を可能にする。
【００２０】
素子１０３あるいは素子１０４内の反転を使用して，例えば素子１０３内のナンド機能を使用することにより，マイクロコントローラ１０１の導線１０７と１０８を介しての信号出力が抑圧される場合，即ちゼロ信号が印加される場合には，導線１１１と１１２の結合により，例えば制御装置接続端１０６へ至るワイヤードアンドとして，通信線１１１がクリアリングされることが保証される。出力が抑圧された場合，即ち導線１１３を介しての本来的なゼロ信号である場合には，１０３における反転により１信号が得られる。従って，後段のワイヤードアンドにおいて導線１１１と１１２が結合された場合に，導線１１１上の情報が出力１０６に出力されるので，通信機能が保証される。
【００２１】
同様な解決はもちろん，マイクロコントローラ１０１の出力あるいは導線１１１と１１２上の出力が，アクティブハイ又はアクティブローであって，ポジティブ又はネガティブな論理で配線が行われ，従ってワイヤードアンド又はワイヤードオアが接続端１０６上に生じることによっても可能である。
【００２２】
見やすくするために，本発明によれば，説明のために必要とされない制御装置１００の素子は，図１では省略されている。
【００２３】
図２は，制御装置１００ｂ内の具体的な回路実施形態を示しており，その一部は制御装置１００ｂ内に存在しているモジュールソースの利用に依存している。即ち，例えば図１のナンド機能は，マイクロコントローラ１０１のポートコンフィグレーション可能性と他のモジュールの反転機能を用いて実現することができる。従って，導線１０７上の出力は，一方では入力／出力ローとして，あるいはオープン−ドレイン−出力として構成することができる。導線１０８上の出力信号は，例えばオープン−ドレイン−出力を介してこの導線に与えられる。導線１０７と１０８の出力のこのポートコンフィグレーション可能性により，これら導線を負荷２０１（例えば抵抗）を介して供給電圧ＵＶに接続することができ，その場合に，ＵＶは特にＵｂａｔよりも小さい。従って，２つの信号あるいは導線１０７と１０８は，導線２０４上でアンド結合される。後段に接続されている，例えば設けられている集積回路の一部としての反転小信号出力段は，図１に示されているような，ナンド機能の実現を完全なものとする。従って，ここでは第１の機能路は，マイクロコントローラ１０１，導線１０７と１０８，負荷２０１，導線２０４，素子２００，負荷２０２，導線２０３，リセット導線１０６を有する素子２０５及び接続端１０６に至る導線１１２から構成される。
【００２４】
このとき，反転小信号出力段２００は，例えばシリアルのデータインターフェイス１０２の一部とすることができ，かつそれにもかかわらず第１の機能路により利用される。レベル適合のために，反転小信号出力段２００から出力された，導線２０３上の信号は，負荷２０２を介して同様に供給電圧に接続される。導線２０３には，図１の素子１０４と同様に，出力段モジュール２０５が接続されており，それも同様に非反転オープン−ドレイン−出力段として形成することができる。例えば回転数情報などを内容とする導線２０３上の信号以外にも，出力段モジュール２０５には導線２０６を介してリセット信号が供給される。この信号は，例えばマイクロコントローラのリセット回路から出力段モジュール２０５に供給される。
【００２５】
リセット信号により，プロセッサがインアクティブである場合に出力段モジュール２０５がアクティブロー信号を出力しないようにされる。このことにより，プロセッサがインアクティブである場合でもモジュール２０５が接続端１０６をクランプしないことが保証される。
【００２６】
出力段モジュール２０５からの出力信号は，その後再び，導線１１２へ達する。機能路２は，図１において説明されたものと同様に，マイクロコントローラ１０１のシリアルのデータインターフェイスから出力導線１０９と入力導線１１０を介して開始される。このとき，特にオープン−ドレイン−出力段モジュールを有する非反転の，シリアルのデータインターフェイス１０２は，同様に制御装置内に組み込まれたマルチ機能ＩＣの一部とすることができる。即ち，モジュールあるいは集積回路も同様に，リセット信号発生を有する電圧スタビライザを有することができる。従って，これらの部分，即ちシリアルのデータインターフェイス１０２と反転小信号出力段２００も，それらが同一のモジュール内にある場合には，リセット信号と結合されている。選択的に素子２００と１０２を有する反転回路あるいはマルチ機能モジュールの出力は，リセット状態においては，高抵抗となる。
【００２７】
モジュール出力，即ち導線１１２と１１１あるいはその上にある信号は，その後新たに負荷１０５を介して電圧あるいは電位Ｕｂａｔに接続され，従って制御装置の接続端１０６に結合される。従って，ここでは，図１におけるものと同様に，２つの機能あるいは付属の信号は，マイクロコントローラ１０１自体において別々に案内される。これらは，後段に接続された説明されたハードウェア上で初めて結合される。各々望ましくない機能あるいは付属の信号は，ソフトウェア毎に，それがパッシブな状態に切り換えられることにより抑圧される。
【００２８】
導線２０４上の信号あるいは導線２０４自体は，導線１０８上にゼロあるいはローが出力されることにより（入力から出力への切換え  アクティブロー），パッシブになる。導線１０８は，導線１０７上の信号がプロセッサ１０１によりオフにできない場合に必要となる。
【００２９】
導線１０９上の信号は，固定的に１あるいはハイに維持されることにより，パッシブになる。これは，通信機能においては，シリアルの出力から静的なポートへの切換え，アクティブハイに相当する。
【００３０】
図３は，コード化により機能を切り換えるための方法シーケンスを説明するものであり，それによりソフトウェア毎にハードウェア信号が決定される。その場合に，本方法は，一方では，制御装置１００あるいは１００ｂ自体内で実行することができ，あるいは完全に又は部分的に，接続端１０６を介して接続される他の制御ユニット，例えばアプリケーション装置により実行することができる。ブロック３００において，方法のランが開始される。これは，外部から実行させることも内部から実行させることもできる。ブロック３０１においては，コード化，いわゆるピンデータＤｐが入力あるいは初期化される。これは，例えば適用可能なデータセットにおいて実行することができる。ピンデータのこの入力は，個別に，あるいは複数の連続するピンデータを有するリセット制御される，あるいは時間制御されるテーブルの形式で行うことができる。このことにより，プログラムランにおいて各々ピンデータＤｐに従って，即ちソフトウェア毎に，接続端１０６上でどの機能が実現されているかあるいは実現されるか，を決定することができる。
【００３１】
ブロック３０２においては，ピンデータＤｐの形式のコード化が読み込まれる。次の判断ブロック３０３においては，ピンデータＤｐが格納されている比較−コード化Ｄｐ１に相当するかが調べられる。そうである場合には，ブロック３０４へ進み，機能１，即ちブロック１１４を有する機能路が実現される。従って，ここでは，例えば上記出力信号，即ち信号１がピン１０６へ出力される。その場合には，導線１０８上の出力信号は，導線１０７上のイネーブル信号によりクリアリングされて，通信線１１１上の機能は，データ線１０９と１１０がパッシブな状態に切り換えられることにより抑圧される。
【００３２】
その後，例えば時間制御されて，判断ブロック３０５において，特に予め設定可能な時間部分の経過後に，機能１（ここでは特に信号出力）をさらに実行すべきかが調べられる。判断ブロック３０５のための検査判断基準は，例えば信号路内の終了停止，タイミング素子の時間経過及び機能２のための需要要請とすることができる。任意のリセットが，信号出力のための打切り条件として，同様に機能することができる。
【００３３】
機能１の中止が望まれる場合には，ブロック３１５，ランの終了に達する。他の場合には，さらに機能１が実行される。読み込まれたコード化が，Ｄｐ１に相当しない場合には，判断ブロック３０６に達する。そこで，ピンデータ，即ちコード化Ｄｐが，他の予め設定可能なコード化Ｄｐ２に相当するかが調べられる。そうである場合には，ブロック３０７へ達する。
【００３４】
特別な実施形態においては，機能２は，通信接続としての接続端１０６の使用を行うので，ブロック３０７において，例えば所定のプロトコルの形式で，測定手段あるいはアプリケーション手段を呼び起こすメッセージの送信が行われる。ブロック３０７におけるこの呼び起し信号は，ブロック３０８へ通じる。
【００３５】
そこで，機能２，双方向の通信接続としての接続端１０６あるいは導線１１１の使用が実行される。特に，機能２に属する信号２が，制御装置接続端１０６を介して伝達される。特に，制御装置１００あるいは１００ｂは，その時から通信線１１１を介してメッセージを受信する用意がある。
【００３６】
その後，次のブロック３０９において，機能２をさらに実行すべきか否かが調べられる。この検査は，ここでも通信線１１１を介しての終了停止，予め設定可能な時間経過，あるいは機能１のための可能な需要要請を介して行うことができる。機能２をさらに続行すべき場合には，再びブロック３０８へ達する。そうでない場合には，ブロック３０５のラン終了に達する。
【００３７】
判断ブロック３０６で読み込まれたコード化が予め設定可能なコード化Ｄｐ２に相当しない場合には，判断ブロック３１０に達する。そこで，コード化Ｄｐが２つの前述のコード化Ｄｐ１又はＤｐ２の間にあるかが調べられる。コード化Ｄｐについて例えば８ビット，従って１バイトを選択した場合には，Ｄｐ１は例えば０とＤｐ２２５５に相当する。従って，その間のステップ，即ち１から２５４が，判断ブロック３１０で調べられる。コード化Ｄｐが，Ｄｐ１とＤｐ２の間の値に相当しない場合には，ブロック３１１において，有効なピンデータが読み込まれていない，というエラー報告が出力される。同様に，ブロック３１１において，リセット作動も考えられる。ブロック３１１から，ここでもブロック３１５のラン終了へ達する。しかし，判断ブロック３１０は，コード化Ｄｐ１とＤｐ２及び表示をここでは８ビットからなるＤｐにより占めることにより，０から２５５，即ち妥当でないピンデータを表示するために，他の可能性が与えられていない限りにおいて選択的である。
【００３８】
さらに，コード化に特別な意味を与えることができる。即ち，Ｄｐ１に，Ｄｐ１の場合には即座にかつ不可逆的に（リセットによるものは除いて）機能１に切り替る，という特別な意味を割り当てることができる。同様に，Ｄｐ２には，Ｄｐ２の場合には機能１には切り替らないという特別な意味を割り当てることができ，待機時間Ｔｗは，ほぼ無限により占められる。
【００３９】
コード化のためにＤｐ１とＤｐ２の間の値が選択されている場合には，ブロック３１２へ達する。そこで今度は，一方で，ブロック３０７と同様に，例えば特殊なプロトコルの形式で呼び起し信号が測定手段あるいはアプリケーション手段又は接続端１０６を介して接続される他の制御装置に送信される。同時に，ここで，コード化を介して，Ｋ−線（通信線）１１１がアクティブに維持される待機時間Ｔｗを設定することができる。待機時間Ｔｗのための可能な設定は，例えばコード化値Ｄｐ，従って，ここでは１から２５４を予め設定可能な，例えば１００ｍｓである時間単位値ｔｗｎで乗算することである。従って，プログラミング可能な待機時間Ｔｗは，この特殊な場合については，１００ミリ秒と２５．４秒の間で移動する。プログラミング可能な待機時間Ｔｗにより，例えば呼び起し信号あるいは呼び起しプロトコルの自己のエコーが，通信構造として誤って解釈されないことが保証される。これは，可能なエコー発生時間に続いて初めて，信号入力が通信として登録されるからである。アプリケーション装置が接続端１０６に結合された場合には，短か過ぎる待機時間Ｔｗがすでに経過する前に，待機時間Ｔｗを，アプリケーション装置をまだ停止することができるように調節すると効果的である。例えばアプリケーション装置が，中断（即ち例えばリセット）の後に送信を開始するのに，０．５秒から１秒を要する場合には，待機時間を１秒より大きく調節すると効果的である。このことにより，複数のアプリケーション装置へのフレキシブルな適合が可能になる。
【００４０】
即ち，判断ブロック３１３において，ピン１０６を介して通信線１１１上で測定手段あるいはアプリケーション手段との通信が成立しているかが調べられる。そうである場合には，上記機能２を実施するために，ブロック３０８に達する。通信が成立していない場合には，判断ブロック３１４において，プログラミング可能な待機時間Ｔｗが経過しているかが調べられる。そうである場合には，例えばブロック３０４へ達し，そこで機能１が実行される。あるいは，ブロック３１５のラン終了に達することもできる。待機時間がまだ経過していない場合には，さらに判断ブロック３１３において，所望の通信が成立するかが調べられる。この検査は，例えば呼び起し信号あるいは呼び起しプロトコルへの反応としての停止情報の入力に基づいて行うことができる。一般に，通信線としての機能２の特殊な実施例においては，機能２をもたらすコード化のためには，各リセット後に通信線１１１がアクティブであって機能１が抑圧されると言える。従って，待機時間内にＫ−線（通信線）１１１上で測定手段との通信が成立していない場合には，この駆動サイクルについてＫ−線１１１は非作動にされ，信号１の出力，即ち機能１がアクティブにされる。各々の駆動サイクル（判断ブロック３０５と３０９を参照）は，例えば各々の機能の需要要請により，あるいは具体的にスイッチオンあるいはその他のリセットにより終了する。
【図面の簡単な説明】
【図１】  図１は，信号出力の説明された信号切換えあるいは機能切換えと通信線の利用の原理的な回路構造を示すものである。
【図２】  図２は，マイクロプロセッサのオープン−ドレイン出力を有する具体的な実施変形例を示すものである。
【図３】  図３には，信号選択のためのコード化と待機時間を有する処理シーケンスがフローチャートで示されている。その場合に，実施は，他の外部の制御ユニットにおけるのと同様にマイクロコンピュータにおいても実行することができる。
【図１】
0004584518.tif 000002
【図２】
0004584518.tif 000003
【図３】
0004584518.tif 000004